(57)【特許請求の範囲】
【請求項１】
解体しようとする多層建築物にあって、各階層を構成する梁に囲まれた１スパンスラブ部の周縁に上下に貫通した複数のガイド用孔を形成し、該ガイド用孔を通して昇降ガイドを設置した後、該各昇降ガイドに簡易エレベータ用駆動体を昇降可能に取付け、
該簡易エレベータ用駆動体を上昇させ前記１スパンスラブ部の下面を支持させる作業と、その状態で前記１スパンスラブ部と前記梁とを切り離し簡易エレベータ用開口部を形成する作業と、前記簡易エレベータ用駆動体を下降させ前記切り離した１スパンスラブ部を搬出する作業とを下階層から順次繰り返し、最上階層にまで至る簡易エレベータを開通させ、
しかる後、前記簡易エレベータを用いて解体用機材の移動及び解体物の搬出を行いつつ最上層より順次解体作業を行うことを特徴とする多層建築物の解体工法。
【請求項２】
前記最上階層にまで至る前記昇降ガイドを設置した後、各階層の前記１スパンスラブ部の解体を行う請求項１に記載の多層建築物の解体工法。
【請求項３】
１又は複数階層毎に前記ガイド用孔を形成し、該ガイド用孔を通して前記昇降ガイドを設置する作業と、該簡易エレベータ用駆動体を上昇させ前記１スパンスラブ部の下面を支持させる作業と、その状態で前記１スパンスラブ部と前記梁とを切り離し簡易エレベータ用開口部を形成する作業と、前記簡易エレベータ用駆動体を下降させ前記切り離した１スパンスラブ部を搬出する作業とを繰り返す請求項１に記載の多層建築物の解体工法。
【請求項４】
前記簡易エレベータ用駆動体は、前記昇降ガイドに沿って設置されたラックギアに歯合するピニオンギアと、該ピニオンギアを回転駆動させる駆動モータとを備えている請求項１〜３の何れか１に記載の多層建築物の解体工法。
【発明の詳細な説明】
【技術分野】
【０００１】
本発明は、主に高層ビル等の解体を対象とした多層建築物の解体工法に関する。
【背景技術】
【０００２】
従来、中層以上の多層建築物の解体工事においては、建築物の周囲にタワークレーン等の揚重手段を設置し、この揚重手段を用いて解体作業に供する重機を最上階層まで揚重し、この重機によって各階層の解体を行うとともに、揚重手段によって解体で生じた部材の搬出及び重機の下層への移動等を最上階層から順次下層に向けて進める工法が一般的に広く用いられている(例えば、特許文献１を参照)。
【先行技術文献】
【特許文献】
【０００３】
【特許文献１】特開２０１２−０３１７０５号公報
【発明の概要】
【発明が解決しようとする課題】
【０００４】
しかしながら、上述の揚重手段を用いた一般的な従来工法は、タワークレーン等の揚重手段を設ける為に周辺道路を含めた建築物の周囲に一定面積以上の用地を必要とすることから、市街地等の用地確保が困難な場所では施工が制限されるという問題があった。
【０００５】
また、この従来工法では、タワークレーン等の揚重手段を別途設置・解体する作業に加え、最上階層から階層毎に順次解体していく分の工期を要することとなり、その分の費用及び工期が嵩むという問題があった。
【０００６】
更に、一般に、高層ビル等の多層建築物の解体においては、各階層におけるコンクリートの破砕や鉄筋の切断等の解体自体の方法・手段よりも、解体用重機やその他の関係機器の搬送や各階層間の移動、解体物の場内移動や搬出における効率が工費や工期に及ぼす影響が大きく、その設置・解体作業を含め簡易且つ作業効率に優れた揚重・搬送設備の開発が求められている。
【０００７】
そこで、本発明は、このような従来の問題に鑑み、解体用重機やその他の関係機器の揚重や各階層間の移動、解体物の場内移動や搬出における効率が優れた多層建築物の解体工法の提供を目的としてなされたものである。
【課題を解決するための手段】
【０００８】
上述の如き従来の問題を解決するための請求項1に記載の発明の特徴は、解体しようとする多層建築物にあって、各階層を構成する梁に囲まれた１スパンスラブ部の周縁に上下に貫通した複数のガイド用孔を形成し、該ガイド用孔を通して昇降ガイドを設置した後、該各昇降ガイドに簡易エレベータ用駆動体を昇降可能に取付け、該簡易エレベータ用駆動体を上昇させ前記１スパンスラブ部の下面を支持させる作業と、その状態で前記１スパンスラブ部と前記梁とを切り離し簡易エレベータ用開口部を形成する作業と、前記簡易エレベータ用駆動体を下降させ前記切り離した１スパンスラブ部を搬出する作業とを下階層から順次繰り返し、最上階層にまで至る簡易エレベータを開通させ、しかる後、前記簡易エレベータを用いて解体用機材の移動及び解体物の搬出を行いつつ最上層より順次解体作業を行う多層建築物の解体工法にある。
【０００９】
請求項２に記載の発明の特徴は、請求項１の構成に加え、前記最上階層にまで至る前記昇降ガイドを設置した後、各階層の前記１スパンスラブ部の解体を行うことにある。
【００１０】
請求項３に記載の発明の特徴は、請求項１の構成に加え、１又は複数階層毎に前記ガイド用孔を形成し、該ガイド用孔を通して前記昇降ガイドを設置する作業と、該簡易エレベータ用駆動体を上昇させ前記１スパンスラブ部の下面を支持させる作業と、その状態で前記１スパンスラブ部と前記梁とを切り離し簡易エレベータ用開口部を形成する作業と、前記簡易エレベータ用駆動体を下降させ前記切り離した１スパンスラブ部を搬出する作業とを繰り返すことにある。
【００１１】
請求項４に記載の発明の特徴は、請求項１〜３の何れか１の構成に加え、前記簡易エレベータ用駆動体は、前記昇降ガイドに沿って設置されたラックギアに歯合するピニオンギアと、該ピニオンギアを回転駆動させる駆動モータとを備えていることにある。
【発明の効果】
【００１２】
本発明に係る多層建築物の解体工法は、上述したように、解体しようとする多層建築物にあって、各階層を構成する梁に囲まれた１スパンスラブ部の周縁に上下に貫通した複数のガイド用孔を形成し、該ガイド用孔を通して昇降ガイドを設置した後、該各昇降ガイドに簡易エレベータ用駆動体を昇降可能に取付け、該簡易エレベータ用駆動体を上昇させ前記１スパンスラブ部の下面を支持させる作業と、その状態で前記１スパンスラブ部と前記梁とを切り離し簡易エレベータ用開口部を形成する作業と、前記簡易エレベータ用駆動体を下降させ前記切り離した１スパンスラブ部を搬出する作業とを下階層から順次繰り返し、最上階層にまで至る簡易エレベータを開通させ、しかる後、前記簡易エレベータを用いて解体用機材の移動及び解体物の搬出を行いつつ最上層より順次解体作業を行うことにより、解体用重機や解体物の搬送に用いるエレベータが、解体しようとする建物自体の内部に形成されるため、その設置作業及び使用が気象条件に左右されることなく実施することができ、しかも何れは全体が解体される建築物の一部を先に解体するものであるため、全体の解体工期を短縮することができる。また、既存建築物にエレベータを支持させる構造であるため、建物外部にタワークレーン等を設置する必要がなく、且つ、安全性が高く、必要資材も少ないものとなる。
【００１３】
また、１スパンスラブの解体を簡易エレベータ用駆動体に支持させた状態で、コンクリート躯体より切り離すので、安全性が高く、切り離した１スパンスラブ部をそのまま最下層部へ搬送できるので作業効率も優れている。
【００１４】
更に、本発明において、前記最上階層にまで至る前記昇降ガイドを設置した後、各階層の前記１スパンスラブ部の解体を行うことにより、エレベータ設置作業を効率よく行うことができる。
【００１５】
また、本発明において、１又は複数階層毎に前記ガイド用孔を形成し、該ガイド用孔を通して前記昇降ガイドを設置する作業と、該簡易エレベータ用駆動体を上昇させ前記１スパンスラブ部の下面を支持させる作業と、その状態で前記１スパンスラブ部と前記梁とを切り離し簡易エレベータ用開口部を形成する作業と、前記簡易エレベータ用駆動体を下降させ前記切り離した１スパンスラブ部を搬出する作業とを繰り返すことにより、ガイド用孔の形成及び昇降ガイドの設置等にも簡易エレベータを使用することができる。
【００１６】
また、本発明において、前記簡易エレベータ用駆動体は、前記昇降ガイドに沿って設置されたラックギアに歯合するピニオンギアと、該ピニオンギアを回転駆動させる駆動モータとを備えていることにより、発進・停止等の制御が容易で、複数の簡易エレベータ用駆動体を同期させて動作させることができる。
【図面の簡単な説明】
【００１７】
【図１】本発明に係る多層建築物の解体工法の手順の概略を示すフローチャートである。
【図２】本発明により解体される多層建築物の一例を示す概略断面図である。
【図３】図１中の簡易エレベータ設置工程の手順を示すフローチャートである。
【図４】（ａ）は簡易エレベータ設置工程におけるガイド用孔形成作業の概略を示す平断面図、（ｂ）は同立断面図である。
【図５】（ａ）は同上の昇降ガイド設置作業の概略を示す平断面図、（ｂ）は同立断面図である。
【図６】（ａ）は同上の１スパンスラブ部を支持させた状態の概略を示す平断面図、（ｂ）は同立断面図である。
【図７】（ａ）は本発明に使用する簡易エレベータ用駆動体を示す断面図、（ｂ）は同平面図である。
【図８】1スパンスラブ部を破砕する工程を説明するものであり、（ａ）は、動的破砕剤の設置状態を、（ｂ）は、動的破砕剤による破砕状態をそれぞれ示す平断面図である。
【図９】（ａ）は同上の１スパンスラブ部を下降・搬出する状態の概略を示す平断面図、（ｂ）は同立断面図である。
【図１０】図１中のＲ〜１階層の解体工程の手順を示すフローチャートである。
【図１１】閉鎖型仮囲いの動作を説明する為の概略断面図である。
【発明を実施するための形態】
【００１８】
次に、本発明に係る多層建築物の解体工法の実施態様を図１〜図１１に基づいて説明する。尚、図中符号１は、解体対象である高層ビル等の多層建築物、符号２は多層建築物１を構成する柱、符号３は梁である。
【００１９】
この多層建築物１の解体工法は、図１に示すフローチャートに示すように、多層建築物１の内部に簡易エレベータ４を設置した後、簡易エレベータ４により解体用重機５やその他の関係機器を建築物の最上階層まで移動させ、この簡易エレベータ４を用いて解体物６の搬出を行いつつ最上階層から順次解体作業を行うようになっている。
【００２０】
簡易エレベータ４を設置するには、図３に示すように、先ず、多層建築物１内において最も適した簡易エレベータ４の設置場所を選定する。
【００２１】
具体的には、解体しようとする多層建築物１内の各階層のスラブにおいて、互いに隣り合う梁３，３...に囲まれた１スパンスラブ部７が、各階層において同一縦軸位置に存在する箇所を選定する。
【００２２】
次に、図４に示すように、１スパンスラブ部７周縁であって梁３，３...の内側際部分に上下に貫通した複数のガイド用孔８，８...を形成する。
【００２３】
このガイド用孔８，８...は、設置する昇降ガイド９の断面形状よりやや大きめに形成し、且つ、１スパンスラブ部７の表面積に比べ十分に小さく、小型の破砕機や電動カッターを用いて穿孔できる。
【００２４】
そして、図５に示すように、形成された各ガイド用孔８，８...にトラス構造を有する柱状の昇降ガイド９を挿通させ、昇降ガイド９の外側面部を、固定用アンカー１０を介して１スパンスラブ部７を囲む梁３，３...に固定する。
【００２５】
昇降ガイド９には、その内側外面にラックギア１１を上下に向けて固定し、昇降ガイド９の連結とともに、ラックギア１１も連結する。
【００２６】
尚、このガイド用孔８，８...の形成及び昇降ガイド９の設置は、１又は複数階層毎に行ってもよく、最上階に至る全階層について一括して行ってもよい。
【００２７】
次に、最下層部において、簡易エレベータ用駆動体１２を各昇降ガイド９に昇降可能に取り付ける。
【００２８】
簡易エレベータ用駆動体１２は、図７に示すように、昇降ガイド９に昇降可能に支持される駆動体本体１２ａと、駆動体本体１２ａより突出した支持部１２ｂと、駆動体本体１２ａを昇降ガイド９に沿って移動させる駆動手段とを備えている。
【００２９】
駆動手段は、特に限定されないが、昇降ガイド９に沿って設置されたラックギア１１に歯合する駆動体本体１２ａに回転可能に支持されたピニオンギア１３と、ピニオンギア１３を回転駆動させる駆動モータ１４とを備えたラック＆ピニオン構造を成し、ピニオンギア１３を回転させることにより、簡易エレベータ用駆動体１２を昇降させるようになっている。
【００３０】
そして、取り付けられた各簡易エレベータ用駆動体１２は、それぞれ動作確認をするとともに、全簡易エレベータ用駆動体１２が同期するように調整する。
【００３１】
次に、図６に示すように、簡易エレベータ用駆動体１２を解体する位置まで上昇させ、当該階層の１スパンスラブ部７の下面を支持させる。
【００３２】
そして、その状態で１スパンスラブ部７と梁３，３...とを切り離し簡易エレベータ用開口部１５を形成する。
【００３３】
簡易エレベータ用開口部１５を形成するには、動的破砕剤と、鉄筋１７，１７...の切断及びコンクリートの破砕が可能な解体用重機５等とを使用し、図８（ａ）に示すように、１スパンスラブ部７の周囲に動的破砕剤充填孔１６，１６...を直線状配置に等間隔で形成し、その各動的破砕剤充填孔１６，１６...内に動的破砕剤を充填した後、これらに遠隔点火して同時に１スパンスラブ部７の周縁を破砕させ、図８（ｂ）に示すように、１スパンスラブ部７の周囲を連続した状態で囲む配置に鉄筋１７，１７...が露出したコンクリート破砕部１８を形成し、コンクリート破砕部１８に露出した鉄筋１７，１７...を電動カッターやワイヤーソーにより切断することにより、１スパンスラブ部７と梁３，３...とを切り離す。
【００３４】
その際、切り離された１スパンスラブ部７は、各簡易エレベータ用駆動体１２に下面を支持された状態にあり、切り離された段階でも下層に落下しないようになっている。
【００３５】
尚、動的破砕剤のみでは、スラブ内に埋設された鉄筋１７，１７...を切断することが出来ないので、コンクリート破砕部１８を形成した段階では、各１スパンスラブ部７が鉄筋１７，１７...を介して梁３，３...部に支持された状態が維持されるため、コンクリート破砕部を形成する作業は、上述したガイド用孔８，８...の形成、昇降ガイド９の設置及び簡易エレベータ用駆動体１２の取付け、各簡易エレベータ用駆動体１２を上昇させ、１スパンスラブ部７の下面を支持させる作業の何れかに先立って、或いは各作業と同時進行で予め各階層において個別に実施しておいてもよい。
【００３６】
尚、動的破砕剤としては、非火薬系の薬剤が好ましく、例えば、非火薬系の製品として「ＮＲＣ（Ｎｅｗ Ｒｏｃｋ Ｃｒａｃｋｅｒ）」（カヤクジャパン株式会社販売）が使用できる。
【００３７】
次に、図９に示すように、１スパンスラブ部７を支持した状態で簡易エレベータ用駆動体１２を最下階層まで下降させ切り離した１スパンスラブ部７を最下階層まで移送し、最下階層で外部に引き出し、或いは最下層部で搬出に適した大きさに破砕するなどして処分する。
【００３８】
そして、図４〜図９に示す各作業を繰り返すことにより、最上階に至る吹き抜け状のエレベータ用空間を形成するとともに、各簡易エレベータ用駆動体１２に板状の昇降台１９を支持させ、簡易エレベータ４を開通させる。
【００３９】
次に、この簡易エレベータ４を使用して最上階に解体用重機５や小型クローラクレーン等のその他の機材を最上階に移動させ、図１０のフローチャートに示すように、最上階層から順次コンクリート躯体部分の解体を開始する。
【００４０】
尚、各階の内装部分の解体は、簡易エレベータ４が到達した階から順に施工し、簡易エレベータ４を使用してコンクリート躯体部分の解体以前に搬出してもよい。
【００４１】
コンクリート躯体部分の解体は、図１１に示すように、最上階から施工する。この躯体解体作業施工前に、解体しようとする最上階部分の周囲を囲む配置に、解体物６の飛散・落下防止と騒音防止を兼ねた閉鎖型仮囲い２０を設置する。
【００４２】
この閉鎖型仮囲い２０は、例えば最上階より１階下の建物外壁に支柱を所定の間隔を隔てて固定し、これにパネルを支持させて最上階の外周を覆うようにする他、各種の固定方法が使用できる。
【００４３】
閉鎖型仮囲い２０の設置後、最上階上側のスラブ、壁及び柱の解体からなる躯体の解体作業を実施する。躯体の解体には、前述した非火薬性の動的破砕剤やコンクリート破砕、鉄筋切断その他の一般に使用されている破砕用機器を使用して行い、解体物６は、簡易エレベータ４による揚重に適当な大きさにし、簡易エレベータ４を使用して地上部に降ろし搬出する。
【００４４】
最上階の躯体解体、解体物６搬出作業が終了したら、図１１（ｂ）に示すように、簡易エレベータ４を使用して解体用重機５等をその下の階層に移動させる。次いで、図１１（ｃ）に示すように、簡易エレベータ４の上端の昇降ガイド９の上端部分を、解体された最上階の高さ分だけ取り外す。
【００４５】
これと並行して閉鎖型仮囲い２０を１階分降下させ、次に解体する残存する建築物の最上階層の周囲を囲む位置まで降下させてその下の階に固定する。
【００４６】
最上階を解体した後、次に最上部となる次下階を同様にして解体する。このようにして解体しようとする多層建築物１の最上階の解体作業開始から１階までの解体を、前記最上階から順次解体施工される毎に最上部となる最上施工階の解体作業が終了する度に、簡易エレベータ４による解体用重機５及び各種解体機材の次下階への移動、簡易エレベータ４の上端側短縮、閉鎖型仮囲い２０の降下の各作業を繰り返し行う。このようにして地上階を解体した後、地下部分２１の解体を実施して予定した多層建築物１の解体を終了する。
【符号の説明】
【００４７】
１  多層建築物
２  柱
３  梁
４  簡易エレベータ
５  解体用重機
６  解体物
７  １スパンスラブ部
８  ガイド用孔
９  昇降ガイド
１０  固定用アンカー
１１  ラックギア
１２  簡易エレベータ用駆動体
１３  ピニオンギア
１４  駆動モータ
１５  簡易エレベータ用開口部
１６  動的破砕剤充填孔
１７  鉄筋
１８  コンクリート破砕部
１９  昇降台
２０  閉鎖型仮囲い
２１  地下部分
【図１】
0006614530.tif 000002
【図２】
0006614530.tif 000003
【図３】
0006614530.tif 000004
【図４】
0006614530.tif 000005
【図５】
0006614530.tif 000006
【図６】
0006614530.tif 000007
【図７】
0006614530.tif 000008
【図８】
0006614530.tif 000009
【図９】
0006614530.tif 000010
【図１０】
0006614530.tif 000011
【図１１】
0006614530.tif 000012